(57)【要約】【課題】レベラーの施工を不要として住宅施工の基礎工事の容易化を図ると共に一体打ちの容易化を図り基礎の構築の効率性の向上を図る。【解決手段】基礎の上部に配置される土台本体２と、土台本体を基端として形成され、その先端部が捨てコンクリート層に接して土台本体を支持する脚部３と、土台本体の垂直高さを調整する調整部７とを備える。【選択図】　　図１
2004131942.tif 000002
【特許請求の範囲】
【請求項１】
基礎の上部に配置される土台本体と、該土台本体を基端として形成された脚部と、前記土台本体の垂直高さを調整する調整部とを備える土台を、前記脚部の先端部が捨てコンクリート層に接して前記土台本体を支持する状態で所定位置に配置する工程と、
前記土台本体の高さを調整する工程と、
前記土台の周囲に型枠を配置して打設空間を形成する工程と、
該打設空間にコンクリートを充填する工程とを備える
ことを特徴とする土台付き基礎の構築方法。
【請求項２】
前記土台本体は、その側面に貫通孔が形成された
ことを特徴とする請求項１に記載の土台付き基礎の構築方法。
【請求項３】
前記土台本体は、その側面に補強板が形成された
ことを特徴とする請求項１または請求項２に記載の土台付き基礎の構築方法。
【請求項４】
基礎の上部に配置される土台本体と、
該土台本体を基端として形成され、その先端部が捨てコンクリート層に接して前記土台本体を支持する脚部と、
前記土台本体の垂直高さを調整する調整部とを備える
ことを特徴とする土台。
【請求項５】
前記土台本体は、その側面に貫通孔が形成された
ことを特徴とする請求項４に記載の土台。
【請求項６】
前記土台本体は、その側面に補強板が形成された
ことを特徴とする請求項４または請求項５に記載の土台。
【発明の詳細な説明】
【０００１】
【発明の属する技術分野】
本発明は、土台付き基礎の構築方法及び土台に関する。詳しくは、住宅施工の基礎工事における基礎の上部に配置される土台の構築方法及び住宅施工の基礎工事における基礎の上部に配置される土台に係るものである。
【０００２】
【従来の技術】
現在、在来の軸組工法やツーバイフォー住宅（枠組壁工法）に用いられている基礎は布基礎とベタ基礎に大別される。
ここで、布基礎は、図６に示すように、栗石１０１を被覆して形成された捨てコンクリート層１０２の上部に座部１０３と立ち上がり部１０４とを有する断面が略逆Ｔ字形の鉄筋コンクリート製の布基礎１０５が構築され、この布基礎の上部に土台１０６が配置されている。
一方、ベタ基礎は、図７に示すように、根伐りを行い、栗石を被覆して形成された捨てコンクリート層の上部に座部と立ち上がり部とを有する鉄筋コンクリート製のベタ基礎１０７が構築され、上記の布基礎の場合と同様に、このベタ基礎の上部に土台が配置されている。
【０００３】
ここで基礎は、概ね下半分が地中に埋入され、基礎の立ち上がり部にはアンカーボルト１０８が、その上端部１０９が立ち上がり部の頂面から突出する様に埋入されている。
また、アンカーボルトは、基礎の長手方向に所定間隔をおいて多数本列設されており、基礎を構築した後に土台に形成された孔部１１０にアンカーボルトの上端部を挿通して土台が基礎の上部に配置され、ナットで締結される。なお、図６及び図７中符号１１１は根太を示しており、符号１１２は床板を示している。
【０００４】
さて、上記した基礎は図８に示す工程を経て構築される。
即ち、先ず、図８（ａ）で示すように、捨てコンクリート層の上で組付けた型枠（１）１１３の間に配筋を行うと共にコンクリートを打設することにより基礎の座部を形成する。
【０００５】
続いて、型枠（１）を取り外し、図８（ｂ）で示すように、座部の上で組付けた型枠（２）１１４の間に配筋を行うと共に立ち上がり部にアンカーボルトを埋入せしめた状態でコンクリートを打設することにより基礎の立ち上がり部を形成する。なお、以下に述べるレベラーの施工を考慮してコンクリートの打設に際しては、基礎の立ち上がり部の上端部レベルまではコンクリートを打設しない。
【０００６】
次に、基礎の上端部の平坦化を図り、基礎の上部に配置される土台を水平に保つために、コンクリートの硬化後に、液状近くになるまで軟らかくしたセメント比率の高いコンクリートであるレベラーを施工する。
【０００７】
その後、型枠（２）が取り外されることにより図８（ｃ）で示すように、基礎が構築される。
【０００８】
【発明が解決しようとする課題】
ここで、基礎の上部に配置される土台を水平に保つことは不可欠であるが、レベラーの施工は数ミリオーダーの精度が要求され、作業工程が極めて困難であった。また、レベラーはその材料費がかさむために低コストでの基礎の構築の障害の一因となっていた。
【０００９】
なお、基礎の構築の効率性を図るためには、一体打ち、即ち、図９（ａ）で示すように捨てコンクリート層の上で型枠（３）１１５を組付けた後、型枠（３）の間に配筋を行うと共にコンクリートを打設することによって、図９（ｂ）で示すように基礎の座部及び立ち上がり部を一体的に形成する基礎の構築方法が好ましいが、一体打ちの場合には基礎の立ち上がり部を形成するために組付けられる型枠がいわゆる宙吊り状態であり、空中でその位置を決定しなければならず型枠の組付けが困難であった。
【００１０】
本発明は、以上の点に鑑みて創案されたものであって、レベラーの施工を不要として住宅施工の基礎工事の容易化を図ることを目的とするものである。
また、一体打ちの容易化を図り基礎の構築の効率性の向上を図ることをも目的とするものである。
【００１１】
【課題を解決するための手段】
上記の目的を達成するために、本発明に係る土台付き基礎の構築方法は、基礎の上部に配置される土台本体と、該土台本体を基端として形成された脚部と、前記土台本体の垂直高さを調整する調整部とを備える土台を、前記脚部の先端部が捨てコンクリート層に接して前記土台本体を支持する状態で所定位置に配置する工程と、前記土台本体の高さを調整する工程と、前記土台の周囲に型枠を配置して打設空間を形成する工程と、該打設空間にコンクリートを充填する工程とを備える。
【００１２】
また、上記の目的を達成するために、本発明に係る土台は、基礎の上部に配置される土台本体と、該土台本体を基端として形成され、その先端部が捨てコンクリート層に接して前記土台本体を支持する脚部と、前記土台本体の垂直高さを調整する調整部とを備える。
【００１３】
【発明の実施の形態】
以下、本発明の実施の形態を図面を参照しながら説明し、本発明の理解に供する。
【００１４】
図１に本発明を適用した土台の一例を説明するための斜視図を示す。ここで示す土台１は土台本体２と脚部３とから成り、土台本体にはその側面に貫通孔４及び補強板５が形成されると共に、天面に孔部６が形成されている。また、脚部には土台本体の垂直高さを調整するアジャスター７及びアジャスターより上部に脚部同士を連結する連結部材８が形成され、脚部の先端にはプラスチック製の脚部先端部９が形成されている。
【００１５】
ここで、貫通孔は床下換気孔として機能すべく土台本体の側面に形成されたものであるので、別途に床下換気孔を形成する場合には必ずしも貫通孔が形成される必要は無いが、後述するように貫通孔が形成されることにより床下換気孔を設ける手間を省くことが可能であるので、貫通孔が形成された方が好ましい。
【００１６】
また、補強板は土台の上に配置される根太の固定を補強するものであり、別途補強部材を用いることによって根太の固定を補強する場合には必ずしも補強板が形成される必要は無いが、より簡単に根太の補強を可能とすべく土台本体に補強板が形成された方が好ましい。同様に、補強板は土台の上に配置される根太の固定を補強することができれば充分であり、必ずしも図１に示すように土台本体の側面一面に形成される必要はなく、例えば図２に示すように根太が配置される個所に形成されていれば充分である。
【００１７】
更に、連結部材は、コンクリートを打設した際に、脚部のみではコンクリートとの接触面積が狭いために、コンクリートとの接触面積を増加させてコンクリートから土台の引き抜けを防止するために形成されたものであって、コンクリートと脚部との接触面積を増加させることによって引き抜けを防止することができれば充分であって、必ずしも脚部同士を連結する必要は無い。なお、連結部材を設けない場合であっても引き抜けを防止することが可能である場合には必ずしも連結部材を形成する必要はないが、より一層充分にコンクリートからの土台の引き抜けを防止すべく連結部材が形成されていた方が好ましい。
【００１８】
図３は上記した本発明を適用した土台の一例を用いて構築した土台付き基礎を示しており、図３（ａ）は布基礎を示し、図３（ｂ）はベタ基礎を示している。
【００１９】
図３（ａ）で示す土台付き基礎（布基礎）は、栗石１０を被覆して形成された捨てコンクリート層１１の上部に土台の脚部先端部が捨てコンクリート層に接する様に土台の脚部が埋入された断面が略逆Ｔ字形の鉄筋コンクリート製の布基礎１２が構築され、この布基礎の上部に土台本体が配置されている。
また、図３（ｂ）で示す土台付き基礎（ベタ基礎）は、根伐りを行い、栗石を被覆して形成された捨てコンクリート層の上部に土台の脚部先端部が捨てコンクリート層に接する様に土台の脚部が埋入された鉄筋コンクリート製のベタ基礎１３が構築され、このベタ基礎の上部に土台本体が配置されている。
【００２０】
ここで、図３中符号１４は根太を示しており、根太に形成された突起部を土台本体の天面に形成された孔部と係合せしめ、土台本体の側面に形成された補強板により根太の固定を補強している。なお、図４中符号１５は床板を示している。
【００２１】
さて、上記した基礎は図４に示す工程を経て構築される。即ち、本発明を適用した土台付き基礎の構築方法の一例は下記の通りである。
先ず、図４（ａ）で示すように、土台の脚部先端部が捨てコンクリート層に接して土台本体を支持する状態で土台を所定位置に配置し、土台本体の垂直高さが所定の高さとなるようにアジャスターで調整を行う。
【００２２】
次に、図４（ｂ）で示すように土台の周囲に型枠１６を組付けて打設空間１７を形成し、組付けた型枠の間に配筋を行うと共にコンクリートを打設した後に、型枠を取り外し、図４（ｃ）で示すような土台付き基礎を構築する。
その後、土台本体の天面に形成された孔部と根太の突起部とを係合し、土台本体の側面に形成された補強板により根太を固定する。
【００２３】
なお、上記した基礎の構築方法では、一体打ちにより基礎を構築する方法を説明したが、基礎は必ずしも一体打ちで構築しなければならないというものではなく、上記した従来の基礎の構築方法の様に先ず基礎の座部を形成し、続いて基礎の立ち上がり部を形成しても構わない。但し、基礎の構築の効率性を考慮すると一体打ちで基礎を構築する方が好ましい。
【００２４】
本発明を適用した土台では、土台を所定の位置に配置した後に土台本体の下部に基礎を形成するために、レベラーの施工が不要となり基礎を構築する工程が極めて簡単になる。
即ち、従来は先ず基礎が形成され、基礎の上部に土台が配置されており、基礎の上端部の水平度によって基礎の上部に配置される土台の水平度が決定されるために、土台を配置する基礎の上端部の水平を保つべく数ミリオーダーの精度でのレベラーの施工が求められていたが、本発明を適用した土台では、先ず土台を所定の位置に配置し、土台本体の垂直高さをアジャスターで調整した後に土台本体の下部に基礎の形成を行っており、基礎を形成する前の段階で土台本体の水平を担保しているため、基礎の上端部の水平を数ミリオーダーで保つ必要が無くレベラーの施工が不要となる。
【００２５】
同様に、本発明を適用した土台では、土台を所定の位置に配置した後に土台本体の下部に基礎を形成するために、一体打ちを容易に行うことが可能である。
即ち、従来は先ず基礎が形成され、基礎の上部に土台が配置されており、基礎の形成位置によって土台の位置が決定されてしまうので、基礎の位置決めにある程度の精度が求められ、一体打ちの場合には宙吊り状態で位置決めを行わなければならなかったために一体打ちの実施が困難であったが、本発明を適用した土台では、先ず土台を所定の位置に配置した後に土台本体の下部に基礎の形成を行っており、基礎を形成する前の段階で土台の位置を決めているために、基礎を形成した後に基礎の上部に土台を配置する場合と比較して基礎の位置決めに厳格な精度が要求されず、宙吊り状態であっても実施可能な程度の位置決めが可能となり、一体打ちを容易に行うことが可能である。
【００２６】
また、本発明を適用した土台は、土台本体に床下換気孔として機能する貫通孔が形成されているために、床下換気孔を形成する必要がなくなり、基礎の構築の効率化を図ることが可能である。
即ち、従来は図５（ａ）に示すように、基礎の上部に所定間隔でプラスチック製の基礎パッキン１１６を形成し、基礎パッキンの上部に土台を配置することによって基礎パッキンの間の隙間部１１７を床下換気孔として機能させていたのであるが、本発明を適用した土台では、図５（ｂ）で示すように土台本体に貫通孔が形成されることにより基礎パッキン等の別部材を用いることなく床下換気孔を形成することができ、基礎の構築の効率化を図ることができる。
【００２７】
【発明の効果】
以上述べてきた如く、本発明の土台付き基礎の構築方法及び土台では、レベラーの施工を不要として住宅施工の基礎工事の容易化を図ることができ、また、一体打ちの容易化を通じて基礎の構築の効率性の向上を図ることができる。
【図面の簡単な説明】
【図１】本発明を適用した土台の一例を説明するための斜視図である。
【図２】本発明を適用した土台の他の一例を説明するための斜視図である。
【図３】本発明を適用した土台の一例を用いて構築した土台付き基礎の模式的な断面図である。
【図４】本発明を適用した土台付き基礎の構築方法を説明するための模式的な断面図である。
【図５】床下換気孔を説明するための模式的な断面図である。
【図６】従来の土台付き基礎（布基礎）の模式的な断面図である。
【図７】従来の土台付き基礎（ベタ基礎）の模式的な断面図である。
【図８】従来の土台付き基礎の構築方法を説明するための模式的な断面図である。
【図９】一体打ちを説明するための模式的な断面図である。
【符号の説明】
１　　土台
２　　土台本体
３　　脚部
４　　貫通孔
５　　補強板
６　　孔部
７　　アジャスター
８　　連結部材
９　　脚部先端部
１０　　栗石
１１　　捨てコンクリート層
１２　　布基礎
１３　　ベタ基礎
１４　　根太
１５　　床板
１６　　型枠
１７　　打設空間
【図１】
2004131942.tif 000003
【図２】
2004131942.tif 000004
【図３】
2004131942.tif 000005
【図４】
2004131942.tif 000006
【図５】
2004131942.tif 000007
【図６】
2004131942.tif 000008
【図７】
2004131942.tif 000009
【図８】
2004131942.tif 000010
【図９】
2004131942.tif 000011